(57)【要約】【課題】屋外に設置する制御盤の温度上昇，温度下降、及び結露を、温湿度制御機器を使用せず抑制する。【解決手段】筐体内にプログラマブルロジックコントローラを設置した制御盤の筐体の少なくとも外表面にセラミックス系塗料を塗布する。【効果】筐体内の温度上昇及び温度下降を抑制することができ、外気温上昇時の筐体内温度上昇が許容範囲内に、外気温下降時においても筐体内温度下降が許容範囲内に抑制することができ、筐体内部の温度変動が抑制でき、結露の発生を抑制できる。【選択図】　図１
2004088860.tif 000002
【特許請求の範囲】
【請求項１】
筐体内にプログラマブルロジックコントローラ，ファンを設置した制御盤であって、前記筐体の外表面にセラミックス系塗料を塗膜厚が０．６ｍｍ〜０．８ｍｍとなるように塗布したことを特徴とする制御盤。
【請求項２】
筐体内にプログラマブルロジックコントローラを設置した制御盤であって、前記筐体の側面部外表面，天井部外表面及び扉の外表面にセラミックス系塗料を塗膜厚が０．６ｍｍ〜０．８ｍｍとなるように塗布したことを特徴とする制御盤。
【請求項３】
前記制御盤がベース上に載置されるスタンド盤足を具備するものであって、該スタンド盤足の外表面にセラミックス系塗料を膜厚が０．６ｍｍ〜０．８ｍｍとなるように塗布した請求項１又は２に記載の制御盤。
【請求項４】
前記制御盤の筐体の側面部内表面，天井部内表面，扉の内表面及び底面の内表面にセラミックス系塗料を膜厚が０．６ｍｍ〜０．８ｍｍとなるように塗布した請求項１又は２に記載の制御盤。
【請求項５】
前記制御盤が日射遮蔽板を具備するものであって、該日射遮蔽板の外表面にセラミックス系塗料を膜厚が０．６ｍｍ〜０．８ｍｍとなるように塗布した請求項１又は２に記載の制御盤。
【発明の詳細な説明】
【０００１】
【発明の属する技術分野】
本発明は、屋外に設置する制御盤筐体の外面や内面にセラミックス系塗料を塗布することにより、夏季の筐体内部の温度上昇，冬季の温度低下や、急激な温度変化による結露の発生を抑制する制御盤に関する。
【０００２】
【従来の技術】
従来の技術としては、例えば特開２００１−２６２０７２号公報に記載のように、屋外建築物，貯蔵タンク，輸送用コンテナ等の外面に、遮光熱塗材を塗布することで太陽光直射による内部温度の上昇を防ぎ、ＬＰガス，石油等の危険物や穀物の温度上昇を防止する遮光熱塗材が開示されている。そして、塗材として太陽光の光エネルギー波長域０．２〜２．５μｍを効率よく反射させる性能を持つ太陽光反射セラミックスフィラーを主材とし、これに熱伝導度及び比熱が小さい性質を持つ水溶性化学反応樹脂溶液をバインダーとするもので、塗膜厚が７０μｍの厚さになるように塗装することが記載されている。
【０００３】
【発明が解決しようとする課題】
特開２００１−２６２０７２号公報に記載の従来の技術は、断熱塗料の塗布は屋外建築物，貯蔵タンク，輸送用コンテナ，穀物サイロ等の外面に塗布するものであり、夏季の日射の遮光性を目的としたものである。
【０００４】
屋外に設置する制御盤の場合は、夏季の温度上昇をなるべく低く抑える対策の他に、冬季には温度低下をなるべく抑える対策や結露対策も必要である。このため、一般的には、冷却ファン，クーラー，除湿器等の温湿度制御機器を制御盤内部に実装する、あるいは筐体外部に日射遮蔽板を取付ける等の対策がとられている。
【０００５】
制御盤内に冷却ファン，クーラー，除湿器等を実装しても、制御盤は屋外に設置されているので、その温湿度制御の能力不足により結露が発生することがあった。この結露によって、筐体内部に実装されているコントローラや入出力装置等の制御機器類に深刻な影響を及ぼす事が懸念されている。また、近年、制御盤のメンテナンスフリー化が望まれており、昨今急務となっている環境保護の点からも、消費電力を極力抑え、ＣＯ２　の排出量を抑制する等の環境を考慮した製品設計が求められている。
【０００６】
このため、制御盤の筐体への断熱塗装は有効な方法であるが、特開２００１−２６２０７２号公報に記載の従来の技術では、塗装厚が７０μｍの厚さになるように塗装しているものであるので、冬季の温度低下をなるべく抑える対策，結露対策には十分でないものであった。
【０００７】
本発明の目的は、制御盤の筐体を塗装することにより、筐体内の温度上昇や下降，温度の急激な変化による結露発生を抑制できる制御盤を提供することにある。
【０００８】
本発明の他の目的は、屋外に設置する制御盤筐体にセラミックス系塗料を塗布することにより、屋外環境でも制御盤筐体内部の夏季の温度上昇抑制や冬季の温度下降抑制，結露の発生を抑制できる制御盤を提供することにある。
【０００９】
【課題を解決するための手段】
上記目的を達成するために本発明による制御盤は、少なくとも筐体の側面部外表面，天井部外表面，扉の外表面にセラミックス系塗料を厚く塗布して、夏季の直射日光や照り返しによる筐体内温度上昇を抑制し、冬季における外気温低下に伴う筐体内温度低下、及び外気温変化に起因した筐体内部の急激な温度変化による結露の発生を抑制するものである。
【００１０】
【発明の実施の形態】
本発明の一実施例を図１から図５により説明する。図１は、上下水道用プラント向けで屋外に設置される自立型の制御盤（現場操作盤ともいう）の全体構成を示す斜視図である。
【００１１】
図１に示すように、ベース１１の上に制御盤の筐体が載置され、制御盤の筐体内には、プログラマブルロジックコントローラ１，ファン２が設けられている。プログラマブルロジックコントローラ１は発熱している発熱体であり、発熱体はこの他にも運転回路等があり、制御盤の筐体内に設置されている。ファン２により制御盤内の空気は排気口から排出される。
【００１２】
筐体の正面には操作用の表示ボタン３が取付けられており、正面扉４に設けられたガラス窓５を見ることにより、表示ボタン３の表示内容を確認することができるようになっている。図３に示すように、正面扉４の外側には名称銘板１２，社名銘板１３，ハンドル１４が取付けられ、ハンドル１４を回して扉４の開閉を行う。筐体は、図２に示す左側板６，図４に示す右側板７，図５に示す背面板８，天井部９，扉４で構成されており、左側板６，右側板７，背面板８，天井部９及び扉４それぞれの外表面に、セラミックス系塗料を２回塗りして塗膜厚が０．６ｍｍ〜０．８ｍｍ　となるように塗布している。以下、外表面に塗布する例で説明するが、それぞれの内表面にもセラミックス系塗料を２回塗りして塗膜厚が０．６ｍｍ〜０．８ｍｍとなるように塗布すると、より効果がある。
【００１３】
セラミックス系塗料は、例えば水溶性アクリル樹脂にセラミックスを混和した塗料であり、ベース樹脂としてアクリル樹脂，ウレタン樹脂，シリコン樹脂等を用い、配合するセラミックスとして珪素系セラミックス等を用いる。塗布作業は、ガン吹き付け塗り，刷毛塗り，ローラー塗り等により行われる。塗装色はセラミックス自体の色である白色が一般的であるが、水性着色料により、白色以外の色に着色することができる。
【００１４】
外表面にセラミックス系断熱塗料を２回塗りで塗膜厚を約０．８ｍｍ　塗布し、プログラマブルロジックコントローラ１の近くの測定位置１０にて内部の温度，湿度，筐体付近の外気温度，湿度を一週間連続して測定した結果を表１に示す。
【００１５】
【表１】
2004088860.tif 000003
【００１６】
表１に示すように、比較例の外気最高温度３５℃に対して本実施例の制御盤筐体内部の最高温度は２５℃と１０℃低く、筐体内部の温度上昇が抑制されていることが分る。一方、比較例の外気最低温度が０℃に対し、本実施例の筐体内部の最低温度は３℃であり、筐体内部の温度低下が抑制されていることが分る。湿度に関しても、比較例の外気最高湿度が９６％に対し、本実施例の制御盤筐体内部の最高湿度は７５％で２１％低下しており、結露の発生を抑制できることが分る。
【００１７】
図６は、本発明の他の実施例である上下水道用プラント向けで屋外に設置されるスタンド型の制御盤の全体構成を示す斜視図である。
【００１８】
ベース１１上には、スタンド盤足が設置され、スタンド盤足には筐体が載置されている。制御盤の筐体内には、図１に示す例と同様に、プログラマブルロジックコントローラ１等の発熱体，ファン２が設けられており、制御盤内の空気を排気している。
【００１９】
筐体の正面には操作用の表示ボタン３が取付けられており、正面扉４に設けられたガラス窓５を見ることにより、表示ボタン３の表示内容を確認することができるようになっている。図８に示すように、正面扉４の外側には名称銘板１２，社名銘板１３，ハンドル１４が取付けられ、ハンドル１４を回して扉４の開閉を行う。筐体は、図７に示す左側板６，図９に示す右側板７，図１０に示す背面板８，天井部９，扉４で構成されており、左側板６，右側板７，背面板８，天井部９，扉４，スタンド盤足左側面部１５，スタンド盤足正面部１６，スタンド盤足右側面部１７及びスタンド盤足背面部１８のそれぞれの外表面に、セラミックス系断熱塗料を２回塗りして塗膜厚が０．６ｍｍ〜０．８ｍｍとなるように塗布している。正面扉４，左側板６，右側板７，背面板８の外側に、日射遮蔽板を設けてもよく、この場合は、日射遮蔽板の外表面にセラミックス系断熱塗料を２回塗りして塗膜厚が０．６ｍｍ〜０．８ｍｍとなるように塗布する。
【００２０】
図１に示す例と同様に、外表面にセラミックス系断熱塗料を２回塗りで塗膜厚を約０．８ｍｍ　塗布し、プログラマブルロジックコントローラ１の近くの測定位置１０にて内部の温度，湿度，筐体付近の外気温度，湿度を一週間連続して測定した結果を表２に示す。
【００２１】
【表２】
2004088860.tif 000004
【００２２】
表２に示すように、比較例の外気最高温度２７℃に対して本実施例の制御盤筐体内部の最高温度は２４℃と３℃低く、図１に示す例と比較しても１℃低下しており、筐体内部の温度上昇が抑制されていることが分る。一方、比較例の筐体内部の最低温度が１℃に対し、本実施例の筐体内部の最低温度は５℃であり、筐体内部の温度低下が抑制されていることが分る。湿度に関しても、比較例の最高湿度が１００％に対し、本実施例の制御盤筐体内部の最高湿度は８２％で１８％低下しており、結露の発生を抑制できることが分る。
【００２３】
以上述べたように、夏季の直射日光や照り返しによる筐体内部の温度上昇や、冬季の外気温の低下による筐体内部の温度低下，急激な温度変化による筐体内の結露を防止できるので、屋外に設置される制御盤に適用した場合、例えば筐体内部に温度上昇を抑制する冷却器，急激な温度変化による結露を防止するためのスペースヒータ等の温湿度制御機器を制御盤内に実装しなくても、あるいは小型のものにしても、制御盤筐体内部の温度，湿度を実装部品の許容範囲内とでき、結露の発生を防止でき筐体内の発錆や湿度による部品への影響を少なくすることができる。このような制御盤の用途としては、現場設備の近傍に設置され、コントローラ等の発熱体を実装した上下水道プラント向けの現場操作盤，ＥＴＣ車線サーバー用制御盤がある。
【００２４】
又、冷却器等の温湿度制御機器を設置しなくてもよいので、温湿度制御機器の消耗部品の定期交換や保守点検作業がなくなり、メンテナンスフリー化したあるいは保守点検の少ない制御盤が実現できる。又、保守点検作業が少ないので、制御盤の扉の開閉回数を少なくでき、扉の開閉による制御盤内に侵入する塵埃が少なくなり、製品の信頼性が向上できる。又、温湿度制御機器を設置しなくても良いので、制御盤の電力消費量を減らすことができ、近年のＣＯ２　排出量の削減要求の観点に合った、環境負荷を軽減する効果が期待できる。
【００２５】
【発明の効果】
本発明によれば、温湿度制御機器を制御盤内に実装しなくても、あるいは小型のものにしても、夏季の制御盤筐体内部の温度上昇を抑制でき、冬季における筐体内部の温度低下、及び急激な温度変化による結露を抑制できる効果を奏する。
【図面の簡単な説明】
【図１】本発明の一実施例である自立型の上下水道用プラント向けの屋外に設置される制御盤の斜視図である。
【図２】制御盤の左側面図である。
【図３】制御盤の正面図である。
【図４】制御盤の右側面図である。
【図５】制御盤の背面図である。
【図６】本発明の他の実施例である上下水道用プラント向けの屋外に設置されるスタンド型の制御盤の斜視図である。
【図７】制御盤の左側面図である。
【図８】制御盤の正面図である。
【図９】制御盤の右側面図である。
【図１０】制御盤の背面図である。
【符号の説明】
１…プログラマブルロジックコントローラ、２…ファン、３…表示ボタン、４…扉、５…窓、６…左側板、７…右側板、８…背面板、９…天井部、１０…温度測定位置、１１…ベース、１２…名称銘板、１３…社名銘板、１４…ハンドル、１５…スタンド盤足左側面部、１６…スタンド盤足正面部、１７…スタンド盤足右側面部、１８…スタンド盤足背面部。
【図１】
2004088860.tif 000005
【図２】
2004088860.tif 000006
【図３】
2004088860.tif 000007
【図４】
2004088860.tif 000008
【図５】
2004088860.tif 000009
【図６】
2004088860.tif 000010
【図７】
2004088860.tif 000011
【図８】
2004088860.tif 000012
【図９】
2004088860.tif 000013
【図１０】
2004088860.tif 000014